(57)【要約】【課題】地震時における天井の変位を簡便かつ確実に抑制して周囲の壁面への衝突を防止することのできる耐震天井構造を提供する。【解決手段】吊りボルト２６を介して天井スラブ２８に吊り下げ保持される野縁受け１２と、野縁受け１２に取り付けられる野縁１４と、野縁１４に取り付けられる天井材１６とを有し、野縁受け１２または野縁１４の外周部と対応位置の壁面３０との間に地震時の野縁受け１２または野縁１４の変位を吸収する第１の変位吸収部材１８を介在させた。【選択図】図１
2007291761.tif 000002
【特許請求の範囲】
【請求項１】
吊り部材を介して天井スラブに吊り下げ保持される野縁受けと、前記野縁受けに取り付けられる野縁と、前記野縁に取り付けられる天井材とを有し、
前記野縁受けまたは野縁の外周部と対応位置の壁面との間に地震時の野縁受けまたは野縁の変位を吸収する変位吸収部材を介在させたことを特徴とする耐震天井構造。
【請求項２】
請求項１において、
前記変位吸収部材は、野縁受けまたは野縁に取り付けられる天井側取付部材と、壁面側に取り付けられる壁面側取付部材と、前記天井側取付部材と壁面側取付部材との間に設けられた高減衰材とを有することを特徴とする耐震天井構造。
【請求項３】
請求項１または２において、
上端が前記吊り部材に取り付けられ、下端側が前記野縁受けまたは野縁に向けて斜めに配設されるブレースと、下端側が前記野縁受けまたは野縁に取り付けられ、上端側が前記ブレースの下端に取り付けられる変位吸収部材とを有することを特徴とする耐震天井構造。
【発明の詳細な説明】
【技術分野】
【０００１】
本発明は、地震時における天井材の落下を防止する耐震天井構造に関する。
【背景技術】
【０００２】
地震による被害は、構造躯体については現行の新耐震設計基準以前の基準で設計された建物を中心に生じているが、天井等の非構造部材については設計の時期にかかわらず被害を受けている。
【０００３】
天井等の非構造部材は、従来から構造の観点からも材料の観点からも耐震性について研究されることが少なかった。
【０００４】
ところで、近年では、天井裏空間を空調機器など種々の設備機器の設置空間として利用することが多く、そのため空間を確保しやすい吊り天井構造が多く用いられるようになっている。
【０００５】
このような吊り天井構造は、通常、天井スラブの下面から吊りボルトにより野縁受けを吊り下げ、この野縁受けの下面に野縁を取り付け、さらに、この野縁の下面に天井材を取り付けるようにしている（特許文献１参照）。
【０００６】
そして、このような吊り天井において、天井懐が１．５ｍ程度以上の場合には、地震時に天井部材が大きく揺れるのを防止するため、吊りボルトの上端部と隣接する吊りボルトの下端部または野縁受けとの間に斜めにブレースを配設することが行われている。
【０００７】
また、天井端部と壁面との納まり部分に、１０ｃｍ内外程度のクリアランスを設けることで、地震時に天井が大きく揺れて壁面に衝突し、破損、あるいは落下することを防止するようなことも行われている。
【特許文献１】特開２００４−３０８３５６号公報
【発明の開示】
【発明が解決しようとする課題】
【０００８】
前述のブレースを用いる場合、ブレースは吊りボルト上端部分と、隣接する吊りボルトの下端間または野縁受けとの間に設置されているため、ブレースで動きの止められた部材よりも下方の部材、例えば野縁受けもしくは野縁が大きく滑動することとなる。
【０００９】
滑動幅が壁面と天井端部のクリアランスよりも大きくなると、天井と壁面とが衝突し、これが繰り返されると天井の衝突部分が破損し最終的には落下に至ることとなる。
【００１０】
また、天井面が平面的に捩れながら大きく揺れる場合には、野縁受けと野縁を接合するクリップが外れて天井が落下したり、野縁が座屈して天井材と野縁を接合するビスが抜けて天井材が落下したりすることとなる。
【００１１】
本発明の目的は、地震時における天井の変位を簡便かつ確実に抑制して周囲の壁面への衝突を防止することのできる耐震天井構造を提供することにある。
【課題を解決するための手段】
【００１２】
前記目的を達成するため、本発明の耐震天井構造は、吊り部材を介して天井スラブに吊り下げ保持される野縁受けと、前記野縁受けに取り付けられる野縁と、前記野縁に取り付けられる天井材とを有し、
前記野縁受けまたは野縁の外周部と対応位置の壁面との間に地震時の野縁受けまたは野縁の変位を吸収する変位吸収部材を介在させたことを特徴とする。
【００１３】
本発明によれば、野縁受けまたは野縁の外周部と対応位置の壁面との間に介在させた変位吸収部材が地震時における野縁受けまたは野縁の変位を吸収することにより、簡便かつ確実に天井の変位を抑制して周囲の壁面への衝突を防止することができる。
【００１４】
また、変位吸収部材は天井の周囲に取り付けられるため、周囲の天井材を外すだけで既存建物の天井にも容易に対応することができる。
【００１５】
本発明においては、前記変位吸収部材は、野縁受けまたは野縁に取り付けられる天井側取付部材と、壁面側に取り付けられる壁面側取付部材と、前記天井側取付部材と壁面側取付部材との間に設けられた高減衰材とを有するものとすることができる。
【００１６】
このような構成とすることにより、天井側取付部材と壁面側取付部材との間に高減衰材を設けた簡略な構造の変位吸収部材とすることができる。
【００１７】
本発明においては、上端が前記吊り部材に取り付けられ、下端側が前記野縁受けまたは野縁に向けて斜めに配設されるブレースと、下端側が前記野縁受けまたは野縁に取り付けられ、上端側が前記ブレースの下端に取り付けられる変位吸収部材とを有するものとすることができる。
【００１８】
このような構成とすることにより、天井懐にブレースを設ける場合に、そのブレースを用いて変位吸収部材を取り付けることで、より一層天井の変位を抑制することが可能となる。
【発明を実施するための最良の形態】
【００１９】
以下、本発明の好的な実施の形態について、図面を参照して説明する。
【００２０】
図１〜図５は、本発明の一実施の形態に係る耐震天井構造を示す図である。
【００２１】
図１は、本実施の形態に係る耐震天井構造の縦断面図で、この耐震天井構造１０は、野縁受け１２と、野縁１４と、天井材１６と、第１の変位吸収部材１８と、第１のブレース２０と、第２のブレース２２と、第２の変位吸収部材２４とを有している。
【００２２】
野縁受け１２は、吊り部材としての吊りボルト２６を介して天井スラブ２８に所定間隔で複数本略平行に吊り下げ保持された状態となっている。
【００２３】
野縁１４は、野縁受け１２の下面側に各野縁受け１２と略直交して各野縁受け１２にまたがる状態で複数本所定間隔で取付け固定されている。
【００２４】
天井材１６は、野縁１４の下面側にビス等にて取付け固定されて所定面積の天井面を形成している。
【００２５】
この天井面の外周部に位置する天井材１６の端部と壁面３０との間には、図３に示すように、天井材１６と壁面との衝突をさけるために所定間隔の隙間３２が設けられている。
【００２６】
また、天井材１６の端部と壁面３０との間の隙間３２は、壁面３０側に取り付けられた回り縁３４にて覆われるようになっている。
【００２７】
第１の変位吸収部材１８は、野縁受け１２の外周部と対応位置の壁面３０との間に介在されて、地震時における野縁受け１２の変位を吸収可能にされている。
【００２８】
この第１の変位吸収部材１８は、図２に示すように、壁面３０の各辺において所定間隔で複数配置されるようになっている。
【００２９】
第１の変位吸収部材１８は、具体的には、図３に示すように、野縁受け１２に取り付けられる平坦なプレートからなる天井側取付部材３６と、壁面３０側に取り付けられるＬ字状のプレートからなる壁面側取付部材３８と、天井側取付部材３６と壁面側取付部材３８との間に設けられた高減衰材４０とから形成されている。
【００３０】
例えば、高減衰材４０として高減衰ゴム等の粘弾性体を用いた粘弾性ダンパーを用いることができる。
【００３１】
高減衰ゴムは、天井側取付部材３６と壁面側取付部材３８とに接着材を用いて接着してもよく、高減衰ゴムの加硫時に天井側取付部材３６及び壁面側取付部材３８と一体化してもよい。
【００３２】
このような粘弾性ダンパーを用いることで、粘弾性体が剪断変形することによって天井部材にかかる地震エネルギーを軽減させることができる。
【００３３】
従って、第１の変位吸収部材１８が地震時における野縁受け１２または野縁１４の変位を吸収することにより、簡便かつ確実に天井の変位を抑制して周囲の壁面３０への衝突を防止することができる。
【００３４】
このため、天井材１６の端部と壁面３０との間の隙間３２を小さくすることが可能となる。
【００３５】
例えば、隙間３２は、通常１０ｃｍ内外程度とされているのを１ｃｍ程度に抑えることが可能となり、回り縁３４も小さくすることが可能となる。
【００３６】
なお、壁面側取付部材３６は、必ずしも壁面３０に固定されている必要はなく、非固定状態でもよく、また、天井側取付部材３８は、野縁受け１２に代えて野縁１４に取り付けるようにしてもよい。
【００３７】
第１のブレース２０は、上端が吊りボルト２６の上端に取り付けられ、そこから斜めに掛け渡されて下端が野縁受け１２に取り付けられ、これが複数本配設された状態となっている。
【００３８】
この第１のブレース２０は、吊りボルト２６と野縁受け１２とを斜めに連結固定することで、天井懐が深い場合に地震時の振動によって吊り下げられた天井部材が大きく揺れるのを防止する機能を有している。
【００３９】
第１のブレース２０の下端は、野縁受け１２に取り付ける場合の他、野縁１４や隣接する吊りボルト２６の下端に取り付けるようにしてもよい。
【００４０】
第２のブレース２２は、複数本、例えば図５に示すように４本を一組にして用いるもので、各第２のブレース２２の上端が吊りボルト２６の上端に取り付けられ、そこから各第２のブレース２２が１つの第２の変位吸収部材２４に向けて斜めに掛け渡され下端が第２の変位吸収部材２４を介して野縁受け１２に取り付けられた状態となっている。
【００４１】
第２の変位吸収部材２４は、図４に示すように、下端側に位置して野縁受け１２に取り付けられる下部側取付部材４２と、上端側に位置して上面に４本の第２のブレース２２の下端を取り付ける十字状のガセットプレート４４を有する上部側取付部材４６と、下部側取付部材４２と上部側取付部材４６との間に設けられた高減衰材４８とから形成されている。
【００４２】
この第２の変位吸収部材２４も、高減衰材４０として高減衰ゴム等の粘弾性体を用いた粘弾性ダンパーを用いることができる。
【００４３】
このように、第１の変位吸収部材１８に加えて、第２のブレース２２と野縁受け１２との間に第２の変位吸収部材２４を介在させることで、より一層、地震時における天井部材の変位を抑制して、壁面３０への衝突を防止し、天井材１６の落下を防止することができる。
【００４４】
本発明は、前記実施の形態に限定されるものではなく、本発明の要旨の範囲内において種々の形態に変形可能である。
【００４５】
例えば、前記実施の形態では、変位吸収部材として粘弾性ダンパーを用いた場合を示したが、この例に限らず、オイルダンパーやゴム等を用いることも可能である。
【図面の簡単な説明】
【００４６】
【図１】本発明の一実施の形態にかかる耐震天井構造を示す断面図である。
【図２】図１の耐震天井構造の概略平面図である。
【図３】図１及び図２の第１の変位吸収部材の拡大断面図である。
【図４】図１の第１の変位吸収部材の拡大断面図である。
【図５】図４の平面図である。
【符号の説明】
【００４７】
１０  耐震天井構造
１２  野縁受け
１４  野縁
１６  天井材
１８  第１の変位吸収部材
２０  第１のブレース
２２  第２のブレース
２４  第２の変位吸収部材
２６  吊りボルト
２８  天井スラブ
３０  壁面
３２  隙間
３６  天井側取付部材
３８  壁面側取付部材
４０  高減衰材
【図１】
2007291761.tif 000003
【図２】
2007291761.tif 000004
【図３】
2007291761.tif 000005
【図４】
2007291761.tif 000006
【図５】
2007291761.tif 000007